(57)【要約】  【課題】  生産性の向上と同調の誤判断の防止を可能とした電波受信回路を提供する。  【解決手段】  標準電波を受信し、同調を必要とするアンテナ１０１と、アンテナ１０１の出力信号を増幅するゲインコントロールアンプ１０６と、ゲインコントロールアンプ１０６の出力信号のうち、所定周波数の信号を透過させるフィルタ回路１０８と、フィルタ回路１０８の出力信号を整流する整流回路１１０と、整流回路１１０の出力信号の電圧を保持するピークホールド回路１１２と、整流回路１１０の出力信号を復調してパルス信号を出力する検波回路１１４とを有し、ピークホールド回路１１２によって保持される電圧によりゲインコントロールアンプ１０６の増幅率が制御され、ピークホールド回路１１２の時定数が制御される。【選択図】  図２
2006047027.tif 000002
【特許請求の範囲】
【請求項１】
標準電波を受信するアンテナと、前記アンテナの出力信号を増幅するゲインコントロールアンプと、前記ゲインコントロールアンプの出力信号に対応する電圧を保持する電圧保持回路とを有し、前記電圧保持回路によって保持される電圧により前記ゲインコントロールアンプの増幅率が制御されるように構成される電波受信回路であって、
前記電圧保持回路の時定数は、所定の制御信号に応じて可変であることを特徴とする電波受信回路。
【請求項２】
前記電圧保持回路の時定数は、前記アンテナの同調工程時において、標準電波の受信動作時よりも小さいことを特徴とする請求項１に記載の電波受信回路。
【請求項３】
前記電圧保持回路は第１の電流源を有し、
前記電圧保持回路の時定数は前記第１の電流源の出力電流値に依存することを特徴とする請求項１又は２に記載の電波受信回路。
【請求項４】
前記ゲインコントロールアンプの出力信号を整流して前記電圧保持回路へ出力する整流回路を有し、
前記整流回路の時定数は所定の制御信号に応じて変化することを特徴とする請求項１乃至３のいずれかに記載の電波受信回路。
【請求項５】
前記整流回路の時定数は、前記アンテナの同調工程時において、標準電波の受信動作時よりも小さいことを特徴とする請求項４に記載の電波受信回路。
【請求項６】
前記整流回路は第２の電流源を有し、
前記整流回路の時定数は前記第２の電流源の出力電流値に依存することを特徴とする請求項４又は５に記載の電波受信回路。
【発明の詳細な説明】
【技術分野】
【０００１】
本発明は、標準電波を受信して、時刻を修正する電波修正時計等に用いられる電波受信回路に関する。
【背景技術】
【０００２】
従来の電波修正時計等に用いられる電波受信回路は、時刻情報を含む標準電波を受信するアンテナと、当該アンテナの出力信号を増幅するゲインコントロールアンプと、当該ゲインコントロールアンプの出力信号のうち、所定周波数の信号を透過させるフィルタ回路と、当該フィルタ回路の出力信号を整流する整流回路と、当該整流回路の出力信号のピーク電圧を保持するピークホールド回路と、整流回路の出力信号を復調してパルスの検波信号を出力する検波回路を有し、ピークホールド回路によって保持されるピーク電圧によりゲインコントロールアンプの増幅率が制御される構成が採用されていた。
【０００３】
標準電波とは、長波標準電波であり、日本では独立行政法人情報通信研究機構によって管理され、ＪＪＹと呼ばれる４０ｋＨｚ又は６０ｋＨｚの搬送周波数で１秒に１パルスのパルス変調がなされた電波のことであり、ドイツではＤＣＦ７７と呼ばれる７７．５ｋＨｚの搬送周波数で１秒間に１パルス（１秒パルス）のパルス変調がなされた電波のことである。また、日本では、この長波標準電波の１秒パルスは、日本標準時（ＪＳＴ）に一致している。
【０００４】
このような周波数帯の電波を受信するアンテナは、フェライトやアモルファスをコア材にコイル線を巻いたバーアンテナを形成し、更に、バーアンテナに並列にコンデンサを設けて構成される。アンテナの共振周波数を受信したい電波の周波数に一致させるためには、コア材に巻かれたコイル線の位置の変更やコンデンサの容量の調整が必要となる。具体的には、受信したい電波（標準電波）と同一の周波数の無変調の電波が送出されている環境下において、ゲインコントロールアンプの増幅率を観測しながら、コイル線の位置が変更されたり（例えば、特許文献１参照）、コンデンサの容量が調整される。そして、増幅率が最小、すなわち、アンテナの出力信号の電圧が最大になるように、コア材に巻かれたコイル線の位置やコンデンサの容量が設定される。このようにアンテナの共振周波数を受信したい電波の周波数に一致させる工程が同調工程と称されるものである（例えば、特許文献２参照）。アンテナの出力信号の電圧が最大になるようなコイル線の位置やコンデンサの容量は、製品毎に微妙に異なる。このため、同調工程は、製品１台毎に行われる必要がある。
【０００５】
また、電波受信回路における復調によって得られるパルスの検波信号が用いられることによって、正確な秒のタイミングが得られるとともに、この検波信号のパルス幅（日本の場合、２００ｍｓｅｃ、５００ｍｓｅｃ、８００ｍｓｅｃのいずれか）により、時刻情報が特定され、現在時刻が得られる。
【特許文献１】特開２００１−１０２８３２号公報
【特許文献２】特開２００２−２８６８８４号公報
【発明の開示】
【発明が解決しようとする課題】
【０００６】
従来の電波受信回路では、１秒パルスを正確に復調させるべく、ゲインコントロールアンプの増幅率の追従速度のうち、増幅率を上げる際の速度が遅くなるように、ピークホールド回路の時定数が設定されていた。すなわち、従来の電波受信回路では、１秒間のうち２００ｍｓｅｃが通常の大きい振幅で残りの８００ｍｓｅｃが小さい振幅という１秒パルスの電波であっても、正常且つ安定的に受信可能にするため、小さい振幅の電波が受信される８００ｍｓｅｃの間に、電波が弱いとして増幅率が直ちに上げられることがないよう、追従速度が数秒乃至数十秒になるように、時定数が設定されていた。
【０００７】
このため、同調工程においても同様の時定数及び追従速度であることから、コア材に巻かれたコイル線の位置を変更させたり、コンデンサの容量を調整されることにより、アンテナの出力信号の電圧を増減させても、ゲインコントロールアンプの増幅率は、その増減に直ちに追従しないため、コイル線の位置変更やコンデンサの容量調整の後、増幅率の追従が完了するまでしばらく待つ必要がある。このため、同調工程の時間が長くなり生産性が悪く、また、場合によっては同調の誤判断がされてしまうこともあり得た。
【０００８】
そこで、本発明は、生産性の向上と同調の誤判断の防止を可能とした電波受信回路を提供することを目的とする。
【課題を解決するための手段】
【０００９】
本発明の電波受信回路は、標準電波を受信するアンテナと、前記アンテナの出力信号を増幅するゲインコントロールアンプと、前記ゲインコントロールアンプの出力信号に対応する電圧を保持する電圧保持回路とを有し、前記電圧保持回路によって保持される電圧により前記ゲインコントロールアンプの増幅率が制御されるように構成されるものであって、前記電圧保持回路の時定数は所定の制御信号に応じて可変である。この構成により、電圧保持回路の時定数を変更することができるため、同調工程時において、アンテナの出力信号の電圧に対する、電圧保持回路が保持する電圧の追従速度、更には、ゲインコントロールアンプにおける増幅率の追従速度を適切に設定することにより、同調検出の迅速化による生産性の向上と同調の誤判断の防止を図ることが可能となる。
【００１０】
また、本発明の電波受信回路は、前記電圧保持回路の時定数が、前記アンテナの同調工程時において標準電波の受信動作時よりも小さくなる。この構成により、同調工程時に電圧保持回路の時定数が小さくなるため、アンテナの出力信号に対する、電圧保持回路が保持する電圧の追従速度、更には、ゲインコントロールアンプにおける増幅率の追従速度を上げて短期追従状態とすることができ、同調検出の迅速化による生産性の向上と同調の誤判断の防止が可能となる。
【００１１】
また、本発明の電波受信回路は、前記電圧保持回路が第１の電流源を有し、前記電圧保持回路の時定数が前記第１の電流源の出力電流値に依存する。
【００１２】
また、本発明の電波受信回路は、前記ゲインコントロールアンプの出力信号を整流して前記電圧保持回路へ出力する整流回路を有し、前記整流回路の時定数が、所定の制御信号に応じて変化する。この構成により、整流回路と電圧保持回路の時定数が可変となるため、同調工程時において、アンテナの出力信号に対する、整流回路の出力信号の追従速度、電圧保持回路が保持する電圧の追従速度、更には、ゲインコントロールアンプにおける増幅率の追従速度を適切に設定することにより、時間短縮による生産性の向上と同調の誤判断の防止を図ることが可能となる。
【００１３】
また、本発明の電波受信回路は、前記整流回路の時定数が、前記アンテナの同調工程時において標準電波の受信動作時よりも小さくなる。この構成により、同調工程時に整流回路の時定数が小さくなるため、アンテナの出力信号に対する、整流回路の出力信号の追従速度、電圧保持回路が保持する電圧の追従速度、更には、ゲインコントロールアンプにおける増幅率の追従速度を上げて短期追従状態とすることができ、時間短縮による生産性の向上と同調の誤判断の防止が可能となる。
【００１４】
また、本発明の電波受信回路は、前記整流回路が、第２の電流源を有し、前記整流回路の時定数が、前記第２の電流源の出力電流値に依存する。
【発明の効果】
【００１５】
本発明にかかる電波受信回路は、同調工程において、アンテナの出力信号に対する、電圧保持回路が保持する電圧の追従速度、更には、ゲインコントロールアンプにおける増幅率の追従速度を適切に設定することにより、時間短縮による生産性の向上と同調の誤判断の防止を図ることが可能となる。
【発明を実施するための最良の形態】
【００１６】
以下、本発明の実施形態の電波受信回路を用いた電波修正時計について、図面を用いて説明する。
【００１７】
図１は、電波修正時計のブロック図である。図１に示す電波修正時計は、標準電波を受信し、復調（検波）を行う電波受信回路１００と、この電波受信回路１００によって復調された信号を受けて時刻表示のための制御を行うとともに、電波受信回路１００の電源等を制御する制御回路２００と、この制御回路２００からの出力信号に基づいて、時刻表示を行う表示部３００とを有する。
【００１８】
受信電波回路１００には、外部から時定数制御信号が入力される。なお、時定数制御信号は、制御回路２００から受信電波回路１００へ入力されるような構成であっても良い。
【００１９】
図２は、受信電波回路１００のブロック図である。図２に示す受信電波回路１００は、標準電波を受信するアンテナ１０１、当該アンテナ１０１の出力信号を増幅するゲインコントロールアンプ（ＧＣＡ）１０６と、当該ゲインコントロールアンプ１０６の出力信号のうち、所定周波数の信号を透過させるフィルタ回路１０８と、当該フィルタ回路１０８の出力信号を整流する整流回路１１０と、当該整流回路１１０の出力信号のピーク電圧を保持するピークホールド回路１１２と、整流回路１１０の出力信号を復調してパルスの検波信号を制御回路２００へ出力する検波回路１１４とを有する。
【００２０】
これらのうち、アンテナ１０１は、バーアンテナ１０２及びコンデンサ１０４によって構成される。バーアンテナ１０２は、フェライトやアモルファスをコア材にコイル線を巻いて形成され、コンデンサ１０４は、バーアンテナ１０２に並列に接続されている。
【００２１】
この電波受信回路１００において、ゲインコントロールアンプ１０６の増幅率は、ピークホールド回路１１２によって保持されるピーク電圧により制御される構成となっている。また、ピークホールド回路１１２における時定数は、外部からの時定数制御信号によって制御される。
【００２２】
次に、図１及び図２を用いて電波修正時計の動作を説明する。
【００２３】
電波修正時計内の制御回路２００は、図示しない内部時計により現在時刻の情報を保持している。この現在時刻が予め定められた標準電波を受信すべき時刻になった時、あるいは、図示しないスイッチが操作され、標準電波の受信が指示された時、制御回路２００は、標準電波の受信を開始させるべく、電波受信回路１００を動作状態にする。同時に、制御回路２００は、電波受信回路１００からの検波信号の観測を開始する。
【００２４】
電波受信回路１００内のアンテナ１０１は、標準電波を受信して電気信号に変換する。ゲインコントロールアンプ１０６は、アンテナ１０１の出力信号を増幅する。増幅率は、増幅後の信号のピークが、所定の電圧範囲、具体的には、後段の検波回路１１４が正常に検波可能な電圧範囲になるように調整される。フィルタ回路１０８は、ゲインコントロールアンプ１０６により増幅された信号のうち、所定周波数の信号を透過させる。例えば、日本における標準電波は、福島の送信所からは４０ｋＨｚ、九州の送信所からは６０ｋＨｚの周波数で送信されている。このため、フィルタ回路１０８は、４０ｋＨｚあるいは６０ｋＨｚの信号のみを透過させるようにする。整流回路１１０は、フィルタ回路１０８の出力信号を整流する。整流回路１１０から出力される信号は、包絡線信号となり、ピークホールド回路１１２及び検波回路１１４へ出力される。
【００２５】
ピークホールド回路１１２は、整流回路１１０から出力される包絡線信号のピーク電圧を保持する。上述したように、ゲインコントロールアンプ１０６の増幅率は、このピークホールド回路１１２によって保持されるピーク電圧により制御される。具体的には、ピーク電圧が高い場合にはゲインコントロールアンプ１０６の増幅率は低下し、ピーク電圧が低い場合にはゲインコントロールアンプ１０６の増幅率は増加する。
【００２６】
検波回路１１４は、ピークホールド回路１１２によって保持されるピーク電圧よりも所定値だけ低い電圧と、整流回路１１０の出力信号の電圧とを比較し、その比較結果に対応するパルスの検波信号を制御回路２００へ出力する。
【００２７】
あるいは、整流回路１１０から出力される包絡線信号のボトム電圧を保持するボトムホールド回路（図示せず）を別途備えるようにする。そして、検波回路１１４は、ピークホールド回路１１２によって保持されるピーク電圧と、ボトムホールド回路によって保持されるボトム電圧との中間の電圧を生成する。更に、検波回路１１４は、この中間電圧と、整流回路１１０の出力信号の電圧とを比較し、その比較結果に対応するパルスの検波信号を制御回路２００へ出力する。
【００２８】
制御回路２００は、検波信号が入力されると、その入力タイミング及びパルス幅を観測することによって現在時刻を特定する。更に、制御回路２００は、その現在時刻に基づいて、内部時計の現在時刻の情報を修正する。更に、制御回路２００は、修正後の現在の表示を行わせるべく、表示部３００を制御する。
【００２９】
次に、ピークホールド回路１１２の構成を説明する。
【００３０】
図３は、本実施形態のピークホールド回路の第１の構成例である。図３に示すピークホールド回路１１２−１は、時定数制御信号が入力されるとともに、非反転接続端子（＋端子）に整流回路１１０からの信号（整流出力信号）が入力されるアンプ２０２と、アンプ２０２の出力端子がアノードに接続されるとともに、カソードがアンプ２０２の反転出力端子（−端子）に接続され、当該カソードから信号を出力するダイオード２０４と、ダイオード２０４のカソードと接地間に接続され、当該接地方向へ電流が流れる電流源２０６及びコンデンサ２０８とによって構成される。図３に示すピークホールド回路１１２−１は、図４に示す従来のピークホールド回路５００と比較すると、アンプ２０２及び電流源２０６に時定数制御信号が入力されている点が異なる。
【００３１】
図３に示すピークホールド回路１１２−１の動作について説明する。まず、通常の受信動作時（標準電波の受信動作時）の動作を説明する。通常の受信動作時においては、アンプ２０２及び電流源２０６には時定数制御信号が入力されない。整流出力信号の電圧がピークホールド回路１１２−１の出力電圧より高い場合には、アンプ２０２の出力信号は、電流源２０６の高電圧側の電位、すなわち、電源電位に近い高い電圧となり、ダイオード２０４を通過してコンデンサ２０８を充電する。これにより、ピークホールド回路１１２−１の出力電圧は、整流出力信号の電圧まで上昇する。
【００３２】
一方、整流出力信号の電圧がピークホールド回路１１２−１の出力電圧より低い場合には、アンプ２０２の出力信号は、電流源２０６の低電圧側の電位、すなわち、接地電位に近い低い電圧となり、ダイオード２０４を流れない。このため、コンデンサ２０８の電圧は直ちには下がらず、ピークホールド回路１１２−１の出力電圧は、整流出力信号のピーク電圧を維持する。但し、電流源２０６によって徐々にコンデンサ２０８に蓄積された電荷が抜かれるため、ピークホールド回路１１２−１の出力電圧は、徐々に低下していく。すなわち、振幅が大きく電圧の高い整流出力信号がアンプ２０２に入力される場合、ピークホールド回路１１２−１の出力電圧は、迅速にその整流出力信号の電圧値と一致するが、その後、整流出力信号の振幅が小さくなって電圧が低下しても、ピークホールド回路１１２−１の出力電圧は直ちには低下せず、徐々に低下していくことになる。
【００３３】
ここで、ピークホールド回路１１２−１の出力電圧の上昇速度は、コンデンサ２０８の容量値とアンプ２０２の出力電流値とによって定まり、下降速度は、コンデンサ２０８の容量値と電流源２０６の出力電流値とによって定まる。通常の受信動作時では、下降速度が上昇速度の１／１０乃至１／２０（例えば数秒乃至数十秒）となるように定められる。これにより、ピークホールド回路１１２−１の出力電圧は、整流出力信号のピーク電圧をほぼ常時維持することなる。
【００３４】
図５は、通常の受信動作時における整流回路１１０から出力される信号（整流出力信号）の電圧、時定数が大きい場合のピークホールド回路１１２−１の出力電圧、及び、時定数が小さい場合のピークホールド回路１１２−１の出力電圧を示す。整流出力信号の電圧４０１がピークとなった後に低下した場合、時定数が大きい場合のピークホールド回路１１２−１の出力電圧４０２は、整流出力信号のピーク電圧よりも若干下がる程度である。一方、時定数が小さい場合のピークホールド回路１１２−１の出力電圧４０３は、整流出力信号の電圧４０１に迅速に追従して低下する。
【００３５】
通常の受信動作時においては、１秒パルスを正確に復調させるべく、ゲインコントロールアンプ１０６の増幅率の追従速度のうち、増幅率を上げる際の速度を遅くさせる必要がある。このため、ピークホールド回路１１２−１の電流源２０６の出力電流値が下げられて、ピークホールド回路１１２−１の時定数が大きな値に設定される。
【００３６】
再び、図２に戻って説明する。通常の受信動作時においては、ゲインコントロールアンプ１０６は、ピークホールド回路１１２−１の出力電圧、すなわち、整流出力信号のピーク電圧が予め定められた電圧よりも高い場合には、増幅率を低減させた上で、アンテナ１０１から出力される信号を増幅する。一方、ゲインコントロールアンプ１０６は、ピークホールド回路１１２−１の出力電圧、すなわち、整流出力信号のピーク電圧が予め定められた電圧よりも低い場合には、増幅率を増加させた上で、アンテナ１０１から出力される信号を増幅する。このようなゲインコントロールアンプ１０６の動作により、ゲインコントロールアンプ１０６の出力信号は、後段の検波回路１１４が正常に検波可能な電圧範囲になるように調整される。
【００３７】
次に、同調工程時の動作を説明する。同調工程時においては、図３に示すピークホールド回路１１２−１内のアンプ２０２及び電流源２０６には時定数制御信号が入力される。
【００３８】
図６は、同調工程時における整流回路１１０から出力される信号（整流出力信号）の電圧、時定数が大きい場合のピークホールド回路１１２−１の出力電圧、及び、時定数が小さい場合のピークホールド回路１１２−１の出力電圧を示す。整流出力信号の電圧４１１がピーク電圧となった後に低下した場合、時定数が大きい場合のピークホールド回路１１２−１の出力電圧４１２は、整流出力信号のピーク電圧よりも若干下がる程度である。一方、時定数が小さい場合のピークホールド回路１１２−１の出力電圧４１３は、整流出力信号の電圧４１１に迅速に追従して低下する。
【００３９】
同調工程時においては、ゲインコントロールアンプ１０６の増幅率の追従速度を速くさせる必要がある。このため、アンプ２０２及び電流源２０６は、時定数制御信号が入力された場合に、それぞれ出力電流値を増加させることにより、コンデンサ２０８の容量を変更することなく、ピークホールド回路１１２−１の時定数を小さくする。
【００４０】
再び、図２に戻って説明する。同調工程時においては、ゲインコントロールアンプ１０６は、通常の受信動作時と同様、ピークホールド回路１１２−１の出力電圧が予め定められた電圧よりも高い場合には、増幅率を低減させた上で、アンテナ１０１から出力される信号を増幅する。一方、ゲインコントロールアンプ１０６は、ピークホールド回路１１２−１の出力電圧が予め定められた電圧よりも低い場合には、増幅率を増加させた上で、アンテナ１０１から出力される信号を増幅する。
【００４１】
同調工程においては、受信したい電波（標準電波）と同一の周波数の無変調の電波が送出されている環境下において行われる。そして、テスタ等によりピークホールド回路１１２の出力電圧を観測しつつ、アンテナ１０１におけるバーアンテナ１０２のコア材に巻かれたコイル線の位置の変更や、コンデンサ１０４の容量の調整により、当該出力電圧が最大になるようにすることで、共振周波数を標準電波の周波数と一致させて、アンテナ１０１の出力信号を最大にすること、すなわち、同調を合わせることが可能となる。
【００４２】
この同調工程においては、上述したように、ピークホールド回路１１２の時定数は小さい値となり、その出力電圧は、整流回路１１０の出力信号の電圧、更には、アンテナ１０１の出力信号の電圧に迅速に追従する。従って、同調が合ったことを迅速に確認することが可能となる。
【００４３】
図７は、本実施形態のピークホールド回路の第２の構成例である。図７に示すピークホールド回路１１２−２は、図３に示すピークホールド回路１１２−１と比較すると、常時動作している電流源２０６に並列に電流源２０７が設けられ、この電流源２０７に時定数制御信号が入力される。電流源２０７は、時定数制御信号が入力された場合に、オン状態となり電流を供給する。これにより、ピークホールド回路１１２−２の出力電圧が低下する場合における時定数（低下時定数）のみを小さくすることができ、その出力電圧をアンテナ１０１の出力信号の電圧に迅速に追従させることが可能となる。
【００４４】
上述した実施形態では、ピークホールド回路１１２の時定数のみが制御されたが、更に、整流回路１１０についても時定数が制御されるようにしても良い。
【００４５】
図８は、整流回路１１０の構成例を示す図である。図８に示す整流回路１１０は、ベースにフィルタ回路１０８の出力信号（整流入力信号）が入力されるＰＮＰトランジスタ４０２と、当該ＰＮＰトランジスタ４０２のエミッタと接地間に接続され、当接地方向へ電流が流れるとともに、時定数制御信号が入力される電流源４０６と、同様にＰＮＰトランジスタ４０２のエミッタと接地間に接続されるコンデンサ４０８とによって構成される。ＰＮＰトランジスタ４０２のエミッタ出力は、整流回路１１０の出力信号（整流出力信号）となる。
【００４６】
図８に示す整流回路１１０の動作を説明する。図８に示す整流回路１１０では、電流源４０６とコンデンサ４０８によってエミッタホロア回路が構成されている。整流出力信号は、整流入力信号よりもＰＮＰトランジスタ４０２のベース−エミッタ間電圧（Ｖｂｅ）だけ低い電圧となる。但し、整流入力信号の電圧が低い場合には、ＰＮＰトランジスタ４０６のエミッタ電圧がコンデンサ４０８によって保持され、徐々に電流源４０６によってコンデンサ２０８に蓄積された電荷が抜かれる。このため、整流出力信号は、整流入力信号に対して、Ｖｂｅだけ低い包絡線をなす電圧信号となる。通常の受信動作時では、整流出力信号の電圧が低下する際の整流回路１１０の時定数（低下時定数）は、数ｍｓｅｃ程度である。一方、同調工程時では、電流源４０６は、時定数制御信号が入力された場合に、出力電流値を増加させることにより、整流回路１１０の低下時定数を、例えば通常の受信動作時の数分の１まで小さくする。
【００４７】
このように、本実施形態の電波受信回路１００では、通常の受信動作時と同調工程時とにおいて時定数を異ならせている。具体的には、同調工程時において、ピークホールド回路１１２の時定数、場合によっては更に整流回路１１０の時定数が、通常の受信動作時よりも下げられることにより、アンテナ１０１の出力信号に対する、ピークホールド回路１１２に保持される電圧の追従速度、更には、ゲインコントロールアンプ１０６における増幅率の追従速度を上げて短期追従状態とすることができる。従って、通常の受信動作時の機能及び性能を維持しつつ、同調検出の迅速化による生産性の向上と同調の誤判断の防止による製品不良率の低減が可能となる。
【００４８】
また、時定数を低下させる場合には、ピークホールド回路１１２内のアンプ２０２や電流源２０６の出力電流値を増加させたり、整流回路１１０内の電流源４０６の出力電流値を増加させるだけで良い。従って、時定数の変更時に通常用いられる手段であるコンデンサの容量変更、すなわち、コンデンサをハンダ付けで接続する作業が不要であり、このハンダ付け作業による作業効率の悪化や製品不良率の増加を招くこともない。
【００４９】
なお、上述した実施形態では、ピークホールド回路１１２は、整流回路１１０の出力信号の電圧を保持しているが、フィルタ回路１０８の出力信号、換言すれば、整流前の信号の電圧を保持するようにしても良い。この場合、整流回路１１０と検波回路１１４は一体化された構成でも良い。
【００５０】
また、図９に示す電波受信回路１５０のように、フィルタ回路１０８と整流回路１１０との間に、必要に応じて増幅回路１０９を挿入しても良い。更には、この挿入される増幅回路１０９の増幅率は、固定であっても可変であっても良い。
【００５１】
また、上述した実施形態では、電流源２０６、２０７、４０６において、低電圧側を接地電位、高電圧側を電源電位としたが、回路全体をマイナス電源として、高電圧側を接地電位、低電圧側を電源電位とした場合においても、単なる設計上の軽微な変更であり、ピーク電圧等の上下の電圧の呼び方が変わるだけに過ぎず、本質的な相違はないため、本発明を適用することができる。
【産業上の利用可能性】
【００５２】
以上のように、本発明に係る電波受信回路は、生産性の向上と同調の誤判断の防止を可能とし、電波受信回路として有用である。
【図面の簡単な説明】
【００５３】
【図１】電波修正時計のブロック図である。
【図２】受信電波回路のブロック図である。
【図３】ピークホールド回路の第１の構成例を示す図である。
【図４】従来のピークホールド回路の構成例を示す図である。
【図５】通常の受信動作時における電圧変動の一例を示す図である。
【図６】同調動作時における電圧変動の一例を示す図である。
【図７】ピークホールド回路の第２の構成例を示す図である。
【図８】整流回路の構成例を示す図である。
【図９】受信電波回路の他のブロック図である。
【符号の説明】
【００５４】
１００、１５０  受信電波回路
２００  制御回路
３００  表示部
１０１  アンテナ
１０２  バーアンテナ
１０４、２０８、４０８  コンデンサ
１０６  ゲインコントロールアンプ
１０８  フィルタ回路
１０９  増幅回路
１１０  整流回路
１１２  ピークホールド回路
１１４  検波回路
２０２  アンプ
２０４  ダイオード
２０６、２０７、４０６  電流源
４０２  ＰＮＰトランジスタ
【図１】
2006047027.tif 000003
【図２】
2006047027.tif 000004
【図３】
2006047027.tif 000005
【図４】
2006047027.tif 000006
【図５】
2006047027.tif 000007
【図６】
2006047027.tif 000008
【図７】
2006047027.tif 000009
【図８】
2006047027.tif 000010
【図９】
2006047027.tif 000011